(57)【要約】    【課題】  拭条同士が絡み難く、多数の拭条をほぐす作業の必要性が低く、清掃対象面を拭く際に拭条同士がもつれることが生じ難いため円滑な作業を行い易いモップ用拭材及びモップの提供。    【解決手段】  略並列状に配列した多数の拭条Ｗ１からなる一対の拭条Ｗ１群の基部同士を連結してモップ用拭材Ｗを形成する。モップ用拭材Ｗにおける一対の拭条Ｗ１群の基部同士が連結された部分は、保持体Ｈにより保持する。拭条Ｗ１は、１本の芯材Ｃと２本の条体Ｓ１・Ｓ２からなる。芯材Ｃは、長手方向に隣接して一定長毎に並んだ多数のループ部Ｌからなる糸状をなす。芯材Ｃにおける２ループ部Ｌおきのループ部Ｌ毎に、順次繰り返して、一方の条体Ｓ１を一方側から他方側へ挿通し、他方の条体Ｓ２を他方側から一方側へ挿通することにより、両条体を編んで拭条Ｗ１を形成する。【選択図】      図１
2014131759.tif 000002
【特許請求の範囲】
【請求項１】
多数の拭条からなるモップ用拭材であって、
前記拭条は、多数の繊維からなる糸状又は紐状の条体が編まれることにより形成されたものであるモップ用拭材。
【請求項２】
上記拭条が、複数本の条体が編まれることにより形成されたものである請求項１記載のモップ用拭材。
【請求項３】
上記拭条が、２以上の異なる種類の複数本の条体が編まれて形成されたものである請求項１記載のモップ用拭材。
【請求項４】
条体として、極細合成繊維からなる条体と、混綿糸からなる条体を備える請求項３記載のモップ用拭材。
【請求項５】
上記拭条が、糸状又は紐状の芯材と１又は２本以上の条体からなり、
前記芯材は、長手方向に並んだ多数のループ部を有し、
前記芯材の長手方向に並んだループ部に対し、前記条体が順次挿通されることにより、それらの条体が編まれて前記拭条が形成された請求項１乃至４の何れか１項に記載のモップ用拭材。
【請求項６】
上記拭条が、１本の芯材と２本又はそれ以上の条体からなり、
前記芯材における隣接するループ部毎に又は１若しくは２以上のループ部おきのループ部毎に、順次繰り返して、前記２本又はそれ以上の条体の一部が一方の側から他方の側へ挿通され、残部が前記他方の側から前記一方の側へ挿通されることにより、それらの条体が編まれて前記拭条が形成された請求項５記載のモップ用拭材。
【請求項７】
請求項１乃至６の何れか１項に記載のモップ用拭材を備えてなるモップ。
【発明の詳細な説明】
【技術分野】
【０００１】
本発明は、多数の拭条からなるモップ用拭材及びそのモップ用拭材を備えたモップに関する。
【背景技術】
【０００２】
特開２００７−２４４８１３号公報には、長いひも状の繊維束から製作され、先端は折り返して折り返した隣同士の２本が互いによじれ合い巻き付き合って形成された繊維束の集合体よりなるモップ糸の発明が開示されている。
【０００３】
この発明に係るモップ糸は、撚った糸の先端を切りっぱなしにしたものに比し、ほぐれにくくて耐久性に優れ、腰が強くてこすり取る力も強く清掃力に優れているものとされている。
【０００４】
しかしながら、このようなモップ糸であっても、繰り返し清掃作業に使用し、繰り返し洗濯すると、各繊維束がほぐれて絡み合うことが生じがちであり、一旦そのようなことが生じると清掃に支障のないように絡み合いを解くには、却って煩雑な作業を要した。
【先行技術文献】
【特許文献】
【０００５】
【特許文献１】特開２００７−２４４８１３号公報
【発明の概要】
【発明が解決しようとする課題】
【０００６】
本発明は、従来技術に存した上記のような課題に鑑み行われたものであって、その目的とするところは、拭条同士が絡み難く、多数の拭条をほぐす作業の必要性が低く、清掃対象面を拭く際に拭条同士がもつれることが生じ難いため円滑な作業を行い易いモップ用拭材及びモップを提供することにある。
【課題を解決するための手段】
【０００７】
(1) 本発明のモップ用拭材は、
多数の拭条からなるモップ用拭材であって、
前記拭条は、多数の繊維からなる糸状又は紐状の条体が編まれることにより形成されたものである。
【０００８】
また本発明のモップは、本発明のモップ用拭材を備えてなるものである。
【０００９】
モップ用拭材の拭条は、多数の繊維からなる糸状又は紐状の条体が編まれることにより形成されたものであるから、拭条の撚り戻りのようなものが実質上生じない。
【００１０】
そのため、特に洗濯機を用いてモップ用拭材の洗濯を行った場合に、撚紐又は撚糸を用いた従来のモップ用拭材と異なり、拭条同士が絡み難いので、多数の拭条をほぐす作業の必要性が低く、清掃対象面を拭く際に拭条同士がもつれることが生じ難いので円滑な作業を行い易い。
【００１１】
(2) 上記モップ用拭材は、上記拭条が、複数本の条体が編まれることにより形成されたものとすることができる。
【００１２】
(3) また上記モップ用拭材は、上記拭条が、２以上の異なる種類の複数本の条体が編まれて形成されたものとすることができる。
【００１３】
この場合、拭条を構成する条体として、素材、太さ、製法等が異なる複数種の条体を選択して組み合わせることにより、モップ用拭材の清掃性能、保水性能、耐久性、風合いなどの外観等を自在に調整することができる。
【００１４】
(4) 上記(3)のモップ用拭材は、条体として、極細合成繊維からなる条体と、混綿糸からなる条体を備えるものとすることができる。
【００１５】
この場合、拭条を構成する条体として、汚れ除去効果に富む極細化学繊維からなる条体と、吸水及び保水効果に富む混綿糸からなる条体を組み合わせることにより、汚れ除去効果に優れると共に保水性に優れるため連続的な水拭き作業に適するものとなる。而も、水拭きにおいて、極細化学繊維からなる条体のみを用いた場合に清掃対象面を拭く際に要する力及び搾水の非容易性が、何れも緩和され、清掃及び搾水作業を円滑に行い得るものとすることができる。
【００１６】
(5) 上記モップ用拭材は、
上記拭条が、糸状又は紐状の芯材と１又は２本以上の条体からなり、
前記芯材は、長手方向に並んだ多数のループ部を有し、
前記芯材の長手方向に並んだループ部に対し、前記条体が順次挿通されることにより、それらの条体が編まれて前記拭条が形成されたものとすることができる。
【００１７】
この場合、モップ用拭材を構成する拭条が、芯材の長手方向に並んだループ部に対し、前記条体が順次挿通されることにより、それらの条体が編まれて形成されているため、清掃対象面を拭いた場合、条体自体の特性がモップ用拭材全体の特性として表れるものとなり易い。
【００１８】
(6) 上記(5)のモップ用拭材は、
上記拭条が、１本の芯材と２本又はそれ以上の条体からなり、
前記芯材における隣接するループ部毎に又は１若しくは２以上のループ部おきのループ部毎に、順次繰り返して、前記２本以上の条体の一部が一方の側から他方の側へ挿通され、残部が前記他方の側から前記一方の側へ挿通されることにより、それらの条体が編まれて前記拭条が形成されたものとすることができる。
【００１９】
この場合、１本の芯材における隣接するループ部毎に又は１若しくは２以上のループ部おきのループ部毎に、順次繰り返して、２本以上の条体の一部が一方の側から他方の側へ挿通され、残部が前記他方の側から前記一方の側へ挿通されることにより、それらの条体が編まれ、モップ用拭材を構成する拭条が形成されているため、清掃対象面を拭いた場合、２本以上の各条体自体の特性がモップ用拭材全体の特性として表れるものと一層なり易い。
【発明の効果】
【００２０】
本発明のモップ用拭材及びモップにおいては、モップ用拭材の拭条は、多数の繊維からなる糸状又は紐状の条体が編まれることにより形成されたものであり、拭条の撚り戻りのようなものが実質上生じないので、特に洗濯機を用いてモップ用拭材の洗濯を行った場合に、撚紐又は撚糸を用いた従来のモップ用拭材と異なり、拭条同士が絡み難い。そのため、多数の拭条をほぐす作業の必要性が低く、清掃対象面を拭く際に拭条同士がもつれることが生じ難いので、円滑な作業を行い易い。
【図面の簡単な説明】
【００２１】
【図１】モップ用拭材の模式的な正面図である。
【図２】拭条の模式的な拡大図である。
【発明を実施するための形態】
【００２２】
(1) 本発明の実施の形態の一例を、図面を参照しつつ説明する。
【００２３】
図１及び図２は何れも本発明のモップ用拭材の実施の形態の一例に関するものである。
【００２４】
モップ用拭材Ｗは、略並列状に配列された多数の拭条Ｗ１からなる一対の拭条Ｗ１群の基部同士が連結されてなる。モップ用拭材Ｗにおける一対の拭条Ｗ１群の基部同士が連結された部分は、合成樹脂又はその他の材料からなる保持体Ｈにより保持されており、保持体Ｈにモップ用の柄が連結されることによりモップが形成される。
【００２５】
拭条Ｗ１は、１本の繊維製の芯材Ｃと２本の繊維製の条体Ｓ１・Ｓ２からなる。
【００２６】
芯材Ｃは、長手方向に隣接して一定長毎に並んだ多数のループ部Ｌからなる糸状をなす。
【００２７】
一方の条体Ｓ１は割繊された極細合成繊維糸（ポリエステル）を多数引き揃えたものであり、他方の条体Ｓ２は綿繊維と合成繊維による混綿糸を多数引き揃えたものである。
【００２８】
拭条Ｗ１は、芯材Ｃにおける２ループ部Ｌおきのループ部Ｌ毎に、順次繰り返して、一方の条体Ｓ１が図２における前方側から後方側へ、次いで後方側から前方側へ挿通され、他方の条体Ｓ２が後方側から前方側へ、次いで前方側から後方側へ挿通されることにより、両条体Ｓ１・Ｓ２が編まれて形成されている。
【００２９】
このモップ用拭材Ｗの拭条Ｗ１は、多数の繊維からなる条体Ｓ１・Ｓ２がこのように編まれることにより形成されたものであるから、拭条Ｗ１の撚り戻りのようなものが実質上生じない。そのため、特に洗濯機を用いてモップ用拭材Ｗの洗濯を行った場合に、拭条Ｗ１同士が絡み難い。
【００３０】
また、拭条Ｗ１を構成する条体Ｓ１・Ｓ２として、汚れ除去効果に富む割繊された極細化学繊維からなる条体Ｓ１と、吸水及び保水効果に富む混綿糸からなる条体Ｓ２が組み合わせられているので、汚れ除去効果に優れると共に保水性に優れるため連続的な水拭き作業に適する。而も、水拭きにおいて、極細化学繊維からなる条体Ｓ１のみを用いた場合に清掃対象面を拭く際に要する力及び搾水の非容易性が、何れも緩和され、清掃及び搾水作業を円滑に行い得るものとすることができる。更に、１本の芯材Ｃにおける２ループ部Ｌおきのループ部Ｌ毎に、順次繰り返して、一方の条体Ｓ１が一方の側から他方の側へ、次いで他方の側から一方の側へ挿通され、他方の条体Ｓ２が他方の側から一方の側へ、次いで一方の側から他方の側へ挿通されることにより、両条体Ｓ１・Ｓ２が編まれて、モップ用拭材Ｗを構成する拭条Ｗ１が形成されているため、清掃対象面を拭いた場合、このような各条体Ｓ１・Ｓ２自体の特性が効果的にモップ用拭材Ｗ全体の特性として表れる。
【００３１】
(2) 本発明のモップ用拭材は、モップ用の柄やモップ用拭材保持体に対し着脱可能なものであることが好ましいが、モップから取り外すことができないものであってもよい。
【００３２】
本発明のモップは、本発明のモップ用拭材を着脱可能な状態で備えるものであってもよく、着脱不能な状態で備えるものであってもよい。モップは、例えば、柄が比較的長い、床用のモップの他、机、テーブル、各種家具等を対象とするハンディモップ等であってもよい。また、本発明のモップ及びモップ用拭材は、水拭用の他、例えば、乾拭き、ワックスの塗布、ワックスによる床磨き等に使用するものであってもよい。
【００３３】
(3) 本発明のモップ用拭材は、多数の拭条からなるモップ用拭材である。
【００３４】
このようなモップ用拭材は、例えば、略並列状に配列された多数の拭条の基部又は中間部が布材又はその他の材料に対し結合されたものとすることができる。
【００３５】
(4) 本発明のモップ用拭材における拭条は、多数の繊維からなる糸状又は紐状の条体が編まれることにより形成されたものである。
【００３６】
条体は、例えば、引き揃え糸、撚り糸、それらからなる紐とすることができる。
【００３７】
条体を構成する糸や紐の素材としては、例えば、綿を始めとする天然繊維や、ポリエステルやナイロンなどの合成繊維、レーヨンなどの半合成繊維又は再生繊維等の化学繊維を用いることができ、混綿のようにこれらを混合して条体を構成することもできる。
【００３８】
ナイロン、ポリエステルを始めとする合成繊維等の化学繊維は、割繊された極細合成繊維として条体に使用することができる。
【００３９】
条体を構成する繊維は、その一部又は全部を、各種機能を有するもの、例えば除電繊維、制菌又は抗菌繊維とすることができる。
【００４０】
(5) モップ用拭材における条体は、例えば、多数の条体が、それらの条体の基部が所定の直線にほぼ沿うように略並列状に配列されたものとすることができる他、それらの条体の基部が所定の曲線にほぼ沿うように略並列状に配列されたものであってもよく、それらの条体の基部が直線と曲線を組み合わせた形状にほぼ沿うように略並列状に配列されたものとすることもできる。
【００４１】
(6) 拭条は、複数本の条体が編まれることにより形成されたものとすることができ、特に、２以上の異なる種類の複数本の条体が編まれて形成されたものとすることができる。
【００４２】
例えば、条体として、極細合成繊維からなる条体と、混綿糸からなる条体を備えるもの、特に、極細合成繊維からなる条体と、混綿糸からなる条体の２本の条体からなるものとすることができる。
【００４３】
(7) 拭条は、糸状又は紐状の芯材と１又は２本以上の条体からなり、
前記芯材は、長手方向に並んだ多数のループ部を有し、
前記芯材の長手方向に並んだループ部に対し、前記条体が順次挿通されることにより、それらの条体が編まれて前記拭条が形成されたものとすることができる。
【００４４】
芯材は、例えば、長手方向に隣接して（例えば一定長毎に）並んだ多数のループ部を有する糸状体又は紐状体とすることができる。
【００４５】
このような拭条としては、１本の芯材と２本以上の条体からなり、前記芯材における隣接するループ部毎に又は１若しくは２以上のループ部おきのループ部毎に、順次繰り返して、前記２本以上の条体の一部（例えば２本のうち１本、又は、３本のうち２本又は１本）が一方の側から他方の側へ挿通され、残部が前記他方の側から前記一方の側へ挿通されることにより、それらの条体が編まれて前記拭条が形成されたものとすることができる。例えば、前記２本以上の条体の一部が、所定ループ部の前側から後側へ挿通され、次いで所定数のループ部をおいた別のループ部の後側から前側へ挿通され、前記２本以上の条体の残部が、所定ループ部の後側から前側へ挿通され、次いで前記別のループ部の前側から後側へ挿通されるというように、所定数のループ部おきのループ部毎に（或いは隣接するループ部毎に）、このような条体の挿通が順次繰り返されることにより、それらの条体が編まれて拭条が形成されたものとすることができる。
【００４６】
(8) なお本発明における条体は、多数の繊維からなる糸状又は紐状の条体が編まれることにより形成されたものであるため、従来モップ用拭材に用いられてきた撚糸又は撚紐よりも、水拭き使用又は洗濯後の乾燥等により縮む率が大きいものとなり易い。そのため、予め条体に湯煎等を施してできるだけ縮みを発生させた後、モップ用拭材の製造に用いることが好ましい。
【符号の説明】
【００４７】
Ｃ    芯材
Ｈ    保持体
Ｌ    ループ部
Ｓ１  条体
Ｓ２  条体
Ｗ    モップ用拭材
Ｗ１  拭条
【図１】
2014131759.tif 000003
【図２】
2014131759.tif 000004
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
多数の拭条からなるモップ用拭材であって、
前記拭条は、それぞれ、多数の繊維からなる糸状又は紐状の条体が編まれることにより形成され、拭条同士の絡みやもつれが防がれることを特徴とするモップ用拭材。
【請求項２】
上記拭条が、複数本の条体が編まれることにより形成されたものである請求項１記載のモップ用拭材。
【請求項３】
上記拭条が、２以上の異なる種類の複数本の条体が編まれて形成されたものである請求項１記載のモップ用拭材。
【請求項４】
条体として、極細合成繊維からなる条体と、混綿糸からなる条体を備える請求項３記載のモップ用拭材。
【請求項５】
請求項１乃至４の何れか１項に記載のモップ用拭材を備えてなるモップ。